(57)【要約】【課題】シール剤による電動機内部への水等の侵入を完全に防ぐことが出来なかった。さらにシール剤の塗布量が多すぎると回転子に接触し、音が発生したり電動機の効率低下を招いていた。また、磁束の強弱により発生する振動が、外枠の剛性の弱い部位を振動させてしまう。その結果、その振動が音となって発生し、その電動機を組み込んでいる機器周辺に音が漏れ、近傍にいる人間に不快感を与えてしまう。【解決手段】外枠の合せ面近傍の電動機内部側に空間部を設けたり、外枠の合せ面の最小径よりも小さい径で外枠に円周状のリブを設けた。【選択図】図１
2006254554.tif 000002
【特許請求の範囲】
【請求項１】
固定子または磁石と回転子の対向面が軸に対して垂直に位置し、固定子または磁石と回転子との間で授受される磁束の方向が軸方向である電動機において、外枠の合せ面近傍の電動機内部側に空間部を設けた電動機。
【請求項２】
固定子または磁石と回転子の対向面が軸に対して垂直に位置し、固定子または磁石と回転子との間で授受される磁束の方向が軸方向である電動機において、外枠の合せ面の最小径よりも小さい径で外枠に円周状のリブを設けた電動機。
【請求項３】
外枠の合せ面近傍の電動機内部側の空間部にシール剤を溜めた、請求項１に記載の電動機。
【発明の詳細な説明】
【技術分野】
【０００１】
本発明は、送風用等に用いられる電動機に関するものである。
【背景技術】
【０００２】
従来、この種の電動機は、例えば、図２に記載されているものがあった。（例えば、特許文献１参照）
図３（ａ）にその電動機の軸方向の断面図を示し、図３（ｂ）にその電動機の分解図を示す。軸４に圧入固定された回転子５は軸４に圧入固定された軸受３を介し、外枠Ａ１と外枠Ｂ６の軸受ハウジング部に挿入固定され、軸４を中心に自由に回転が可能である。回転子５にはブラシホルダー７に保持されているブラシを介して外部から電流が供給され磁束が発生する。一方、外枠Ａ１に固定された磁石２からも磁束が発生され、その両者の磁束の吸引作用や反発作用によって回転子５が回転する。ここで回転子５と磁石２から発生する磁束の授受される方向は軸方向である。このように固定子または磁石２と回転子５の対向面が軸４に対して垂直に位置する電動機は、径方向の長さに対して軸方向の長さが小さくなる外枠の構造が可能である。すなわち、薄型の電動機を提供できる利点がある。この利点を生かし車などのエンジンルームなどに搭載される送風用電動機として用いられている。設置場所が風雨にさらされ電動機内部への水等の侵入防止として、外枠Ａ１と外枠Ｂ６の合せ面９にはシール剤を塗布している。
【特許文献１】特開２００３−１５３５００号公報
【発明の開示】
【発明が解決しようとする課題】
【０００３】
しかしながら、前記従来の構成では、シール剤の塗布量が少なくなり電動機内部への水等の侵入を完全に防ぐことが出来なかった。さらにシール剤の塗布量が多すぎると回転子５に接触し、音が発生したり電動機の効率低下を招いていた。
【０００４】
また、固定子または磁石２と回転子５との間で授受される磁束の方向が軸方向であり、その固定子または磁石２と回転子５を保持している外枠Ａ１と外枠Ｂ６は薄型の構造のため、磁束の強弱により発生する振動が、それらの剛性の弱い部位を振動させてしまう。その結果、その振動が音となって発生し、その電動機を組み込んでいる機器周辺に音が漏れ、近傍にいる人間に不快感を与えてしまう。
【課題を解決するための手段】
【０００５】
前記従来の課題を解決するために本発明の電動機は、外枠の合せ面近傍の電動機内部側に空間部を設けたり、外枠の合せ面の最小径よりも小さい径で外枠に円周状のリブを設けたことを特徴とする。
【発明の効果】
【０００６】
以上のように、本発明の電動機によれば、シール剤を確実に塗布することが出来、塗布したシール剤が回転子に接触し音が発生したり電動機の効率低下を招くこと無く電動機内部への水等の侵入を完全に防ぐことが出来る。
【０００７】
また、コストをかけずに外枠の剛性を強くさせることができ、固定子または磁石と回転子との間で授受される磁束の強弱により発生する振動があっても、外枠の剛性の弱い部位がなくなるため外枠の振動も抑制され、その結果、従来発生していた音もなくなり、その機器周辺にいる人間への不快感もなくすことができる。
【発明を実施するための最良の形態】
【０００８】
外枠の合せ面近傍の電動機内部側に空間部を設けたり、外枠の合せ面の最小径よりも小さい径で外枠に円周状のリブを設けたものである。以下に、本発明の実施例について、図面を参照しながら説明する。
【実施例１】
【０００９】
図１は、本発明の実施例１における電動機の軸方向の断面図である。他の部品や同じ構成については同じ符号を用い、説明と図を省略する。
軸４に圧入固定された回転子５は軸４に圧入固定された軸受３を介し、外枠Ａ１と外枠Ｂ１０の軸受ハウジング部に挿入固定され、軸４を中心に自由に回転が可能である。回転子５にはブラシホルダー７に保持されているブラシを介して外部から電流が供給され磁束が発生する。一方、外枠１に固定された磁石２からも磁束が発生され、その両者の磁束の吸引作用や反発作用によって回転子５が回転する。ここで回転子５と磁石２から発生する磁束の授受される方向は軸方向であるところまでは背景技術と同様である。
【００１０】
ここで外枠Ａ１と外枠Ｂ１０との合せ面９にシール剤を塗布し組み立てるのであるが、外枠１０の円周状のリブ１３の径を、外枠Ａ１と外枠Ｂ１０との合せ面の最小径よりも小さい径１４（ΦＣ）としている。よって、外枠Ａ１と外枠Ｂ１０との合せ面の電動機内部側近傍に空間部１２が形成される。外枠Ａ１と外枠Ｂ１０との合せ面にシール剤を塗布し、この空間部１２にもシール剤を充填すればシール剤の塗布量が多くなり、合せ面９から電動機内部への水等の侵入を完全に防ぐことが出来、さらにこの空間部１２にシール剤が溜り回転子５側へは溢れ出ない。よって、回転子５にシール剤が接触し音が発生したり、電動機の効率低下を招くことも防止出来る。
【実施例２】
【００１１】
実施例２についても図１を用いて説明する。
【００１２】
軸４に圧入固定された回転子５は軸４に圧入固定された軸受３を介し、外枠Ａ１と外枠Ｂ１０の軸受ハウジング部に挿入固定され、軸４を中心に自由に回転が可能である。回転子５にはブラシホルダー７に保持されているブラシを介して外部から電流が供給され磁束が発生する。一方、外枠１に固定された磁石２からも磁束が発生され、その両者の磁束の吸引作用や反発作用によって回転子５が回転する。ここで回転子５と磁石２から発生する磁束の授受される方向は軸方向であるところまでは背景技術と同様である。
【００１３】
磁束の吸引作用や反発作用の方向が軸方向のため、それにより発生する振動によって外枠Ａ１や外枠Ｂ１０が軸方向に振動しようとする。外枠Ａ１には剛性の大きい磁石２が強固に固定されているため剛性は大きくなり振動し難い。一方、外枠Ｂ１０は磁石２のように剛性の大きい部品とは固定されていない為、軸方向に振動し易い。そこで外枠１０の円周状のリブ１３の径を外枠Ａ１と外枠Ｂ１０との合せ面の最小径よりも小さい径１４（ΦＣ）とし、背景技術のそれよりも小さくしている。その為外枠Ｂ１０の剛性が大きくなり、外枠Ｂ１０の振動もし難くし、その振動によって発生する音も減少させる。この形態は材料や加工のコストが上がらず効果的である。
【産業上の利用可能性】
【００１４】
本発明の電動機によれば、シール剤を確実に塗布することが出来、塗布したシール剤が回転子に接触し音が発生したり電動機の効率低下を招くこと無く、電動機内部への水等の侵入を完全に防ぐことが出来る。
【００１５】
また、コストをかけずに外枠の剛性を強くさせることができ、固定子または磁石と回転子との間で授受される磁束の強弱により発生する振動があっても、外枠の剛性の弱い部位がなくなるため外枠の振動も抑制され、その結果、従来発生していた音もなくなり、その機器周辺にいる人間への不快感もなくすことができるので、送風用等に用いられる電動機等の用途に有用である。
【図面の簡単な説明】
【００１６】
【図１】本発明の実施例１、実施例２における電動機の軸方向の断面図
【図２】従来の電動機の斜視図
【図３】従来の電動機、（ａ）軸方向の断面図、（ｂ）分解図
【符号の説明】
【００１７】
１  外枠Ａ
２  磁石
３  軸受
４  軸
５  回転子
６  外枠Ｂ
７  ブラシホルダー
８  ネジ
９    外枠Ａ１と外枠Ｂ６の合せ面
１０  本発明の外枠Ｂ
１１  本発明のブラシホルダー
１２  空間部
１３  円周状のリブ
１４  １３の径寸法（ΦＣ）
【図１】
2006254554.tif 000003
【図２】
2006254554.tif 000004
【図３】
2006254554.tif 000005